(57)【要約】  包装されたタバコの一群を含んだ少なくとも１つの内パッケージ、内パッケージを収容する少なくとも１つの内箱であって、開口上端と、蓋ヒンジによって内箱にヒンジ結合されて内箱に対し開口上端を開閉する開放位置と閉鎖位置との間で回転する蓋と、を有する少なくとも１つの内箱、内箱を収容すると共に少なくとも１つの開口側方端を有する外箱、内箱と外箱とを接続して、内箱を、内箱が外箱の内側に挿入された閉鎖位置と、内箱が外箱から少なくとも部分的に引き出された開放位置との間で回転させる接続ヒンジ、及び内箱の、外箱に対する接続ヒンジ周りの回転によって、蓋が蓋ヒンジ周りに対応して回転するように蓋を外箱に接続する調整タブ、を有するスイングオープン型硬質タバコパケット。【選択図】図５
2015515952.tif 000002
【特許請求の範囲】
【請求項１】
包装されたタバコの一群を含んだ少なくとも１つの内パッケージ（２）、
前記内パッケージ（２）を収容する少なくとも１つの内箱（３）であって、開口上端（５）と、蓋ヒンジ（３０）によって前記内箱（３）にヒンジ結合されて内箱（３）に対し前記開口上端（５）を開閉する開放位置と閉鎖位置との間で回転する蓋（２９）と、を有する少なくとも１つの内箱（３）、
前記内箱（３）を収容すると共に少なくとも１つの開口側方端（１３）を有する外箱（４）、
前記内箱（３）と前記外箱（４）とを接続して、内箱（３）を、内箱（３）が外箱（４）の内側に挿入された閉鎖位置と、内箱（３）が外箱（４）から少なくとも部分的に引き出された開放位置との間で回転させる接続ヒンジ（１４）、及び
前記内箱（３）の、前記外箱（４）に対する前記接続ヒンジ（１４）周りの回転によって、前記蓋（２９）が前記蓋ヒンジ（３０）周りに対応して回転するように蓋（２９）を外箱（４）に接続する調整タブ（３４）、を有するスイングオープン型硬質タバコパケット（１）であって、
前記調整タブ（３４）は、前記外箱（４）の上壁（１０）に恒久的に一体化された上端（３５）と、前記上端（３５）と反対側にあって前記蓋（２９）の上壁（３１）に恒久的に一体化された下端（３６）とを有することを特徴とするタバコパケット（１）。
【請求項２】
前記調整タブ（３４）は、前記内箱（３）が、前記外箱（４）の内側に挿入された閉鎖位置にある時は折り畳んだ状態にあり、内箱（３）が外箱（４）から部分的に引き出された開放位置にある時は展開する請求項１に記載のタバコパケット（１）。
【請求項３】
前記調整タブ（３４）の前記上端（３５）は、第１折り線（３７）に沿って前記外箱（４）の上壁（１０）に接続されると共に、調整タブ（３４）の前記下端（３６）は前記蓋（２９）の上壁（３１）に接着されている請求項１又は２に記載のタバコパケット（１）。
【請求項４】
前記外箱（４）の前記上壁（１０）は第１パネル（１０’）と、前記第１パネル（１０’）の内側に接着された補強タブ（２７）とを有し、更に
前記調整タブ（３４）の前記上端（３５）は、前記第１折り線（３７）に沿って外箱（４）の上壁（１０）の前記補強タブ（２７）に接続される請求項３に記載のタバコパケット（１）。
【請求項５】
前記調整タブ（３４）は前記上端（３５）と前記下端（３６）との間に所定の距離を以て隔置された第２折り線（３８）と第３折り線（３９）を有して、前記内箱（３）が前記外箱（４）の内側に挿入された閉鎖位置にある時、調整タブ（３４）が蓋（２９）の上壁（３１）と蓋（２９）の後壁（３２）の周りに“Ｌ”字状に折り畳んだ状態にさせる請求項３又は４に記載のタバコパケット（１）。
【請求項６】
前記調整タブ（３４）の前記上端（３５）は前記外箱（４）の上壁（１０）に接着され、調整タブ（３４）の前記下端（３６）は前記蓋（２９）の上壁（３１）に接着される請求項１又は２に記載のタバコパケット（１）。
【請求項７】
前記調整タブ（３４）は当初、前記外箱（４）の前記上壁（１０）からは分離され、外箱（４）の上壁（１０）に単純接着される請求項６に記載のタバコパケット（１）。
【請求項８】
前記調整タブ（３４）は、前記内箱（３）と前記外箱（４）とは異なる材料から作られている請求項７に記載のタバコパケット（１）。
【請求項９】
前記内箱（３）が前記外箱（４）の内側に挿入された閉鎖位置にある時、前記調整タブ（３４）は“Ｚ”状に折り畳んだ状態にあって、その全体が前記蓋（２９）の上壁（３１）と外箱（４）の上壁（１０）の間に位置する請求項６、７又は８に記載のタバコパケット（１）。
【請求項１０】
前記外箱（４）は２つの開口側方端（１３）を有し、
２つの内箱（３）は夫々が各開口側方端（１３）において外箱（４）内に収容され、夫々接続ヒンジ（１４）によって外箱（４）にヒンジ結合されて閉鎖位置と開放位置との間で回転し、更に夫々ヒンジ蓋（２９）を有し、更に
２つの調整タブ（３４）は夫々、外箱（４）の上壁（１０）に恒久的に一体化された上端（３５）と、前記上端（３５）の反対側にあって対応する蓋（２９）の上壁（３１）に恒久的に一体化された下端（３６）とを有する請求項１〜９のいずれか一項に記載のタバコパケット（１）。
【請求項１１】
２つの前記調整タブ（３４）は上端（３５）で結合されている請求項１０に記載のタバコパケット（１）。
【請求項１２】
前記接続ヒンジ（１４）は、前記外箱（４）の前記開口側方端（１３）に位置する、前記内箱（３）の下壁（６）の端縁と外箱（４）の下壁（１１）の端縁、双方の端縁の近傍に位置する請求項１〜１１のいずれか一項に記載のタバコパケット（１）。
【請求項１３】
前記外箱（４）からの前記内箱（３）の引き出しを制限するストッパであって、前記調整タブ（３４）とは全く異なり分離したストッパを有する請求項１〜１２のいずれか一項に記載のタバコパケット（１）。
【請求項１４】
包装されたタバコの一群を含んだ少なくとも１つの内パッケージ（２）、
前記内パッケージ（２）を収容する少なくとも１つの内箱（３）であって、開口上端（５）と、蓋ヒンジ（３０）によって前記内箱（３）にヒンジ結合されて内箱（３）に対し前記開口上端（５）を開閉する開放位置と閉鎖位置との間で回転する蓋（２９）と、を有する少なくとも１つの内箱（３）、
前記内箱（３）を収容すると共に少なくとも１つの開口側方端（１３）を有する外箱（４）、
前記内箱（３）と前記外箱（４）とを接続して、内箱（３）を、内箱（３）が外箱（４）の内側に挿入された閉鎖位置と、内箱（３）が外箱（４）から少なくとも部分的に引き出された開放位置との間で回転させる接続ヒンジ（１４）、及び
前記内箱（３）の、前記外箱（４）に対する前記接続ヒンジ（１４）周りの回転によって、前記蓋（２９）が前記蓋ヒンジ（３０）周りに対応して回転するように蓋（２９）を外箱（４）に接続する調整タブ（３４）、を有する硬質スイングオープン型タバコパケット（１）を製造する方法であって、
内パッケージ（２）を形成する段階と、
内ブランク（１７）上に前記内パッケージ（２）を置く段階と、
前記内ブランク（１７）を前記内パッケージ（２）の周りで折り畳んで内箱（３）を形成する段階と、
前記内箱（３）を外ブランク（２４）上に置く段階と、
前記外ブランク（２４）を前記内箱（３）の周りで折り畳んで外箱（４）を形成する、段階とを有する、硬質スイングオープン型タバコパケット（１）の製造方法であって、
前記内箱（３）を前記外ブランク（２４）上に置く前に、前記調整タブ（３４）の上端（３５）を外箱（４）の上壁（１０）を形成する外ブランク（２４）の第１パネル（１０’）に接着する段階と、
前記内箱（３）を前記外ブランク（２４）上に置く前に、前記調整タブ（３４）の下端（３６）を前記蓋（１９）の上壁（３１）に接着する段階とを有することを特徴とする方法。
【請求項１５】
更に、
調整タブ（３４）を広げた状態で調整タブ（３４）の前記上端（３５）を前記外ブランク（２４）の前記第１パネル（１０’）に接着する段階と、
内箱（３）を、その少なくとも一部分が外ブランク（２４）の外側になるような位置で外ブランク（２４）の上に置き、前記蓋（２９）の前記上壁（３１）を、広げた調整タブ（３４）の下端（３６）に接着する段階と、
外ブランク（２４）に対して内箱（３）を、内箱（３）が外箱（４）の内側に挿入される閉鎖位置に対応する位置へと移動させて調整タブ（３４）を折り畳む段階とを有する請求項１４に記載の方法。
【請求項１６】
前記内箱（３）を外ブランク（２４）上に置く前に、前記外箱（４）の主側壁（１２）を形成する第２パネル（１２”）に対して前記第１パネル（１０’）を９０°折り曲げる追加の段階を有する請求項１５に記載の方法。
【請求項１７】
前記第２パネル（１２”）に対し前記第１パネル（１０’）を９０°折り曲げる前に、前記調整タブ（３４）の上端（３５）を前記第１パネル（１０’）を接着する追加の段階を有する請求項１６に記載の方法。
【発明の詳細な説明】
【技術分野】
【０００１】
本発明はスイングオープン式硬質タバコパケット、及びそれに関連した製造方法に関する。
【背景技術】
【０００２】
製造が容易でありかつ使い勝手も簡単で実用的であり、さらに内部のタバコを効果的に保護することで硬質のヒンジ蓋タバコパケットは現在、最も広く市販されている。
【０００３】
加えて、一方が他方の内側にあってかつ他方から部分的に引き出し可能な２つの容器、即ち内箱が紙巻きタバコの一群を含んで外箱の内側に収容され、外箱に対しては外箱の内側に挿入された閉鎖位置と外箱から引き出された開放位置との間で移動するような２つの容器を有する、スライドオープン式又はスイングオープン式の硬質タバコパケットが提案されている。外箱に対する内箱の移動は、これら２つの容器を接続するヒンジ周りで直線的（スライドオープン式）であったり、回転性（スイングオープン式）である場合がある。
【０００４】
スライドオープン式の硬質タバコパケットの実施形態がある特許文献に記載されており（例えば、特許文献１〜３参照。）、また、スイングオープン式の硬質タバコパケットの２つの実施形態がある特許文献に記載されている（例えば、特許文献４及び５参照。）。
【０００５】
また、ある特許文献には、夫々が包装された紙巻きタバコ群を含んだ２つの内パッケージ、夫々が各内パッケージを収容してヒンジ蓋を有する２つの内箱、それら２つの内箱を収容すると共に向かい合った２つの開口側方端を有する外箱、及び夫々が内箱を外箱に接続すると共に、内箱を、外箱の内側に挿入された閉鎖位置と外箱から少なくとも部分的に引き出された開放位置との間で回転させる２つのヒンジ、を有している、スイングオープン式の硬質タバコパケットが記載されている（例えば、特許文献６参照。）。各内箱の蓋には、蓋を外箱に接続して内箱と外箱の間の相対的運動を生かすことで、蓋を“自動的”（即ち、ユーザーが蓋に接する必要なしに）に開ける調整システムがある。各調整システムは、外箱の上壁端縁から内箱の内方へと延びる調整タブと、蓋の上壁を通って形成されて調整タブと係合するスリットとを有する。
【０００６】
しかしながら、上記の蓋調整システムには幾つかの欠点がある。即ち、それは内箱が閉鎖位置にある時、蓋の上壁は外箱の上壁から十分距離をおいて保持されなければならず、外箱上部にかなり大きな空の（即ち、不使用の）空間を残さねばらないことにより、外箱容積の最適な使用が阻害されているということである。
【先行技術文献】
【特許文献】
【０００７】
【特許文献１】仏国特許第２４９９９４７号
【特許文献２】米国特許第４５３４４６３号
【特許文献３】米国特許第５０８０２２７号
【特許文献４】国際公開第０３／０５３８１８号
【特許文献５】国際公開第２００６／０２１５８１号
【特許文献６】欧州特許第２０１７１９８号
【発明の概要】
【発明が解決しようとする課題】
【０００８】
本発明の目的は、上記欠点を解消するように設計されると共に、特に安価でかつ実施が容易なスイングオープン式硬質タバコパケット、及びそれに関連する製造方法を提供することにある。
【課題を解決するための手段】
【０００９】
本発明によれば、添付した特許請求の範囲によって請求されたスイングオープン式硬質タバコパケット、及びそれに関連する製造方法が提供される。
【００１０】
本発明の非限定的な幾つかの実施形態を、添付図面を参照する例によって説明する。
【図面の簡単な説明】
【００１１】
【図１】全閉鎖位置での、本発明によるスイングオープン式硬質タバコパケットの斜視図である。
【図２】全閉鎖位置での、図１のタバコパケットの斜視図である。
【図３】部分的開放位置での、図１のタバコパケットの概略的前方図である。
【図４】内箱蓋を開ける際の連続段階での図１のタバコパケットの上部分の概略的前方に関して、明瞭化のために部品を取り除いた図である。
【図５】内箱蓋を開ける際の連続段階での図１のタバコパケットの上部分の概略的前方に関して、明瞭化のために部品を取り除いた図である。
【図６】内箱蓋を開ける際の連続段階での図１のタバコパケットの上部分の概略的前方に関して、明瞭化のために部品を取り除いた図である。
【図７】図１のタバコパケットの内箱を形成するためのブランクの平面図である。
【図８】図１のタバコパケットの外箱を形成するためのブランクの平面図である。
【図９】内箱蓋を開ける際の連続段階での図１のタバコパケットの別実施形態の上部分の概略的前方に関して、明瞭化のために部品を取り除いた図である。
【図１０】内箱蓋を開ける際の連続段階での図１のタバコパケットの別実施形態の上部分の概略的前方に関して、明瞭化のために部品を取り除いた図である。
【図１１】内箱蓋を開ける際の連続段階での図１のタバコパケットの別実施形態の上部分の概略的前方に関して、明瞭化のために部品を取り除いた図である。
【図１２】図９、図１０及び図１１のタバコパケットの外箱を形成するブランクの平面図である。
【図１３】図９、図１０及び図１１のタバコパケットの箱に連結タブを付ける２つの製造段階の中の１つを示す図である。
【図１４】図９、図１０及び図１１のタバコパケットの箱に連結タブを付ける２つの製造段階の中の１つを示す図である。
【発明を実施するための形態】
【００１２】
図１〜図３の参照番号１は、全体としてのスイングオープン式硬質タバコパケットを示している。
【００１３】
図１〜図３のタバコパケット１は、２つの内パッケージ２（図２）と、夫々が内パッケージ２を収納する硬質の平行六面体状の内箱３と、内箱３を収納する硬質の平行六面体状の外箱４とを有する。各内パッケージ２は、多数の列を成して配置された紙巻きタバコの一群と、その紙巻きタバコ群の周りに巻かれてそれを完全に同封する１枚のホイルとを有する。各内箱３は外箱４にヒンジ結合され、外箱４に対して、外箱４内に完全に挿入された閉鎖位置（図１）と、内パッケージ２へのアクセスのために外箱４から部分的に引き出された開放位置（図２）との間で回転する。
【００１４】
各内箱３は、カップ状平行六面体の形態であり、内パッケージ２にアクセスするための開口上端５と、その開口上端５の反対側にある下壁６と、前壁７と、その前壁７に対して平行な状態で反対側にある後壁８と、平行に向かい合った２つの側壁９とを備える。
【００１５】
外箱４も又、平行六面体状であり、上壁１０と、その上壁１０に平行に対向する下壁１１と、対向して平行な２つの側壁１２と、これを介して夫々の内箱３が外箱４から引き出されて開放位置へと至ったり、外箱４内に挿入されて閉鎖位置へ至るような、対向する２つの開口側方端１３とを有する。
【００１６】
各内箱３は、内箱３の下壁６の端縁と外箱４の下壁１１の端縁の近くに位置するヒンジ１４によって、外箱４の開口側方端１３においてヒンジ結合されている。より具体的には、各ヒンジ１４は、外箱４の開口側方端１３において、内箱３の下壁６の端縁と外箱４の下壁１１の端縁から所定の距離をおいて配置され、即ち、内箱３と横方向下端縁と外箱４の横方向下端縁から所定距離を隔てて配置されている。
【００１７】
好ましい実施形態では、閉鎖位置で前壁７が外箱４の各開口側方端１３を完全に閉じるように、各内箱３の後壁８は前壁７よりも低くなっており、外箱４の上壁１０と干渉することで、後壁８は外箱４に対しての内箱３のヒンジ１４周りの回転を妨げていない。また、各内箱３の側壁９の上部分は、前壁７を円滑に後壁８へと接続し、高さの差を補償するように成形されている。
【００１８】
タバコのパケット１は、外箱４からの各内箱３の引き出しを制限して分離を防止するためのストッパを有するが、それらは各内箱３につき、側壁９から内箱３の外側に突出して内箱３の後壁８近くに位置する２つの保持タブ１５と、側壁１２から外箱４の内側に突出して外箱４の開口側方端１３近くに位置する２つの保持ポケット１６とを有する。実際の使用では、外箱４に対して内箱３がヒンジ１４周りに開放位置へと回転した際には、各保持タブ１５は、内箱３の戻りを阻止するために各保持ポケット１６の内側でスライドする。
【００１９】
内箱３を引き出すために、タバコパケット１のユーザーは、一方の手で外箱４を、他方の手で内箱３を握ることにより外箱４に対して内箱３を動かさなければならない。図１及び図２に示したように、内箱３の握りを容易にするために、外箱４の各側壁１２は各開口側方端１３の近くに、ユーザーに握らせて各内箱３の側壁９に引く力を課させるための凹部を有する。
【００２０】
図１〜図３の実施形態では、タバコパケット１は２つの内箱３を有し、その夫々は外箱４の内部に収容され、開放位置と閉鎖位置との間で回転するようにヒンジ１４によって外箱４にヒンジ結合されている。図示しない別の実施形態では、タバコのパケット１は、外箱４の内側に収容されかつ開放位置と閉鎖位置との間で回転するようにヒンジ１４によって外箱４にヒンジ結合された１つの内箱３を有する。この場合、外箱４は、図１〜図３の実施形態の外箱４の半分のサイズであり、図１〜図３の外箱４の２つの開口側方端１３の一方は、追加の側壁によって閉じられる。
【００２１】
図２及び図３に示すように、各内箱３は、ヒンジ３０により内箱３にヒンジ結合されて内箱３に対して、開口上端５を開く開放位置と開口上端５を閉じる閉鎖位置との間を回転する蓋２９を有する。
【００２２】
各蓋２９は、蓋２９が閉じた際に内箱３の下壁６と反対側にあってこれに平行な矩形の上壁３１、蓋２９が閉じた際に内箱３の後壁８の延長部を形成する矩形の後壁３２、及び蓋２９が閉じた際に内箱３の側壁９の延長部を形成する２つの三角側壁３３を有する。各蓋２９のヒンジ３０は、内箱３の後壁８の上端縁を蓋２９の後壁３２の下端縁に接続する。
【００２３】
図４、図５及び図６に示すように、各蓋２９は、ユーザーが直接、蓋２９に作用する必要なく外箱４に対して内箱３が移動することによっても蓋２９を移動するように、蓋を外箱４に接続する調整タブ３４を有している。従って、夫々の調整（又は接続）タブ３４を設けたことにより、各内箱３が引き出された際にはユーザーが直接、蓋２９に作用する必要なく各蓋２９は“自動的に”開口する。
【００２４】
各調整タブ３４は、外箱４の上壁１０に恒久的に一体化された上端３５、及びその上端３５とは反対側に位置して対応した内箱３の蓋２９の上壁３１に恒久的に一体化された下端３６を有する。各調整タブ３４は、対応する内箱３が外箱４の内側に挿入された閉鎖位置にある時、（図４に示すように）折り畳んだ状態となり、対応内箱３が外箱４から引き出された開放位置にある時、（図６に示すように）広がった状態となる。好ましい実施形態では、各調整タブ３４の下端３６は蓋２９の上壁３１に接着される一方、各調整タブ３４の上端３５は（図４、図５及び図６に示すように）折り線３７に沿って外箱４の上壁１０に接続されるか、あるいは（図９、図１０及び図１１に示すように）外箱４も上壁１０に接着されてもよい。
【００２５】
図４、図５及び図６の実施形態では、各調整タブ３４の上端３５は、折り線３７に沿って外箱４の上壁１０に接続される。より具体的には、各調整タブ３４の上端３５は、折り線３７に沿って、外箱４の上壁１０を補強するための対応補強タブ２７に接続される（以下に詳細に説明するが、外箱４の上壁１０はパネル１０’と、そのパネル１０’の内側に接着された２つの補強タブ２７とを有する）。
【００２６】
図４、図５及び図６の実施形態では、各調整タブ３４は、上端３５と下端３６との間に所定距離を以て隔置された２つの折り線３８、３９を有しており、対応する内箱３が外箱４の内側に挿入された閉鎖位置（図４）にある時、調整タブ３４を蓋２９の上壁３１と後壁３２の周りで“Ｌ”字状に折り畳めるようになっている。
【００２７】
図７に示すように、各内箱３は、平坦で実質上長方形の内ブランク１７を折り畳むことにより形成されるが、その各部分は、内箱３の対応部分に関して可能な限り、同じ参照番号に上付き指標を付して示してある。
【００２８】
内ブランク１７は、２本の縦方向折り線１８と、縦方向折り線１８との間で、後壁８を形成するパネル８’、下壁６を形成するパネル６’、及び前壁７を形成するパネル７’、を形成する多数の横方向折り線１９とを有する。
【００２９】
パネル７は、横方向折り線１９に沿ってパネル７’に接続された補強フラップ２０を有し、同フラップはパネル７’上に１８０°に折り畳まれて前壁７の上部を補強する。
【００３０】
パネル８’は、側壁９の夫々の内側部分を形成すると共にパネル８’の両側に配置され、かつ縦方向折り線１８によりパネル８’から分離された２つの側方ウイング９’を有する。パネル７’は、側壁９の夫々の外側部分を形成すると共にパネル７’の両側に配置され、かつ縦方向折り線１８によりパネル７’から分離された２つの側方ウイング９”を有する。パネル８’の各側方ウイング９’は横方向折り線１９によって側方ウイング９’から分離されたタブ２１を有し、それは側方ウイング９’に対して９０°折り畳まれてパネル６’の内面に固定される。各側方ウイング９’には夫々、保持タブ１５を含んだ窓２２が形成される一方、各側方ウイング９”は、各保持タブ１５に重なるように設計された凹部２３を有する。
【００３１】
また、内ブランク１７は、蓋２９の後壁３２を形成すると共にヒンジ３０に沿ってパネル８’に接続されるパネル３２’、蓋２９の上壁３１を形成するパネル３１’、及び蓋２９の側壁３３を形成する２つの側方ウイング３３であって、夫々が側方ウイング３３’に対して９０°に折り曲げられパネル３１’の内面に固定されるタブ３１”を有する側方ウイング３３を有する。
【００３２】
図８に示すように、外箱４は、平坦で実質上長方形の外ブランク２４を折り畳むことにより形成されるが、その各部分は、外箱４の対応部分に関して可能な限り、同じ参照番号に上付き指標を付して示してある。
【００３３】
ブランク２４は、２本の縦方向折り線２５と、縦方向折り線２５との間で、下壁１１の内側部分を形成するパネル１１’、一方の側壁１２を形成するパネル１２’、上壁１０を形成するパネル１０’、他方の側壁１２を形成するパネル１２”、及び下壁１１の外側部分を形成するパネル１１”、を形成する多数の横方向折り線２６とを有する。
【００３４】
パネル１０’は２つの補強タブ２７を有し、同タブはパネル１０’の両側に位置すると共に縦方向折り線２５によってパネル１０’から分離され、かつ１８０°折り曲げられてパネル１０’上に接着されて上壁１０を補強する。
【００３５】
パネル１２’、１２”は夫々２つの保持ポケット１６を有し、同ポケットはパネル１２’の両側に位置すると共に縦方向折り線２５によってパネル１２’、１２”から分離され、かつ１８０°折り曲げられてパネル１２’、１２”上に接着される。
【００３６】
パネル１１’は、パネル１１’の両側に位置すると共に縦方向折り線２５によってパネル１１’から分離された２つの接続タブ２８を有する。同タブは、パネル１１’上へと１８０°折り曲げられると共に夫々、各内箱３の下壁６上に接着され、内箱３を外箱４にヒンジ結合する。
【００３７】
図４、図５及び図６の実施形態では、各調整タブ３４の上端３５は、折り線３７に沿って外箱４の上壁１０（より厳密に言えば、上壁１０の補強タブ２７）に接続される。これにより、調整タブ３４は外ブランク２４（ひいては外箱４）と同じ材料から成る一体部分を形成する。
【００３８】
図４、図５及び図６の実施形態の一つの利点は、閉鎖位置（図４）において、対応の蓋２９の後壁３２上にある各調整タブ３４の一部分が２つの内箱３の間（更に厳密に言えば、２つの内箱３の蓋２９間）に位置し、以て内箱３同士を所定距離を隔てた状態に保持することにあり、そのことは閉鎖位置において内箱３同士を正しい位置に保ち、それらが若干開いた状態となってしまうのを回避する利点となる。
【００３９】
図９、図１０及び図１１の別実施形態では、各調整タブ３４は、最初に外箱４の上壁１０から分離され、外箱４の上壁１０（更に厳密に言えば、上壁１０の対応補強タブ２７）に単純に接着される。この実施形態では、内箱３が外箱４の内側に挿入された閉鎖位置（図９）にある時には、調整タブ３４は“Ｚ”状に折り畳んだ状態となり、蓋２９の上壁３１と外箱４の上壁１０の間に完全に位置する。好ましい実施形態では、各調整タブ３４はかなり柔軟性のある変形可能なプラスチック材から形成され、重大なダメージ（即ち、疲労破壊）無しに１８０°までも繰り返し折り畳むことが可能である。言い換えれば、各調整タブ３４は、一方の側（上端３５側）で外箱４の上壁１０に接着されかつ反対側（下端３５側）で対応する蓋２９の上壁３１に接着された一片のプラスチック材料を有する。言うまでもなく、各調整タブ３４は、紙や多層材（例えば、プラスチックと紙からなるもの）から作るようにしても良い。
【００４０】
図９、図１０及び図１１の実施形態において、２つの調整タブ３５は（図１３及び図１４に示すように）上端３５において一体品（１つの材料片）へと結合されるようにしても良い。
【００４１】
図４、図５及び図６の実施形態（即ち、各調整タブ３４が外箱４の外ブランク２４との一体部分を成すもの）に比べ、図９、図１０及び図１１の実施形態（即ち、各調整タブ３４がプラスチック材料で作られており、初めから外箱４の外ブランク２４から分離しているもの）は、（図８と図１２の外ブランク２４を比較することによって示されるように）外ブランク２４の幅を大きく減じ、以て消耗量を大きく減らして外ブランク２４の製造に含まれる梱包材料コストを低減するといった主たる利点を有する。図９、図１０及び図１１の実施形態は又、各調整タブ３４を外箱４の外ブランク２４とは異なる材料（即ち、調整タブとしての機能のために特別に設計された材料）から作ることができるという利点を有する。これに関連して、各調整タブ３４は、通常、容器３、４を成す材料（（即ち、ブランク１７、２４）よりもはるかに薄いことに留意することが重要である。
【００４２】
全ての実施形態において、調整タブ３４は蓋２９“自動的”に開くことだけに作用し、外箱４から内箱３の引き出しはストッパによってのみ（即ち、保持ポケット１６に係合する保持タブ１５によって）制限（拘束）されるということに留意することが重要である。この結果、各調整タブ３４は、対応する内箱３がストッパによってもたらされる限界を超えた場合にのみ完全に広がるように設計されている。ストッパがあることで、各調整タブ３４は決して完全には広がらず、対応する内箱３の引き出し動作を決して制限せず、それにより決して引き裂きの危険を冒すことはない。
【００４３】
上述したタバコのパケット１には数多くの利点がある。
【００４４】
特に、内箱３が閉鎖位置にある時、蓋２９の上壁３１を外箱４の上壁１０に極めて近接して配置させる調整タブ３４の設計により、外箱４の内部容積を最適に使用させることができる。図４、図５及び図６の実施形態では、各調整タブ３４は比較的厚いが、閉鎖位置（図４）では、調整タブ３４の大部分は蓋２９の“後ろ側”に位置しており（即ち、蓋２９の後壁３２の上に載っている）、それは蓋２９の“頂上側”（即ち、蓋２９の上壁３１と外箱４の上壁１０との間にある状態）とは対照的である。図９、図１０及び図１１の実施形態では、各調整タブ３４は、特に蓋２９の上壁３１を外箱４の上壁１０に接続するように設計されたプラスチック材料から作られることによって、非常に薄くなっている（即ち、容器３，４の材料よりもはるかに薄い）。
【００４５】
また、上述したタバコパケット１は、類似した標準的なタバコパケットにちょっとした小規模の変更だけを含ませることで安価でかつ製造が容易である。
【００４６】
上記タバコパケット１の製造方法について、図１３及び図１４を参照して以下、説明する。
【００４７】
その方法は、２つの内パッケージ２を形成すること、各内パッケージ２を対応する内ブランク１７上に置くこと、内パッケージ２の周りで各内ブランク１７を折り畳んで対応する内箱３を形成すること、２つの内箱３を外ブランク２４上に置くこと、及び内箱３の周りで外ブランク２４を折り畳んで外箱４を形成すること、からなる。
【００４８】
図１３に示すように、２つの調整タブ３４は、内箱３を外ブランク２４に置く前に、上端３５において接合され、双方共、接着剤４０により（外箱４の上壁１０を形成する）外ブランク２４のパネル１０’か、あるいはパネル１０’の補強タブ２７に接着される。次いで、内箱３を外ブランク２４上に置く前に、図１４に示すように各調整タブ３４の下端３６は、接着剤４１により、対応する内箱３の蓋２９の上壁３１に接着される。
【００４９】
図１３に示すように、調整タブ３４を完全に広げた状態で、接着剤４０により調整タブ３４の各上端３５は、外ブランク２４のパネル１０の夫々の補強タブ２７に同時接着される。次いで、図１４に示すように、調整タブ３４を広げつつ蓋２９の上壁３１を調整タブ３４の下端３６に接着するように、各内箱３は少なくともその一部が外ブランク２４の外側に（平行に）なるような位置において、部分的に予め折り畳まれた外ブランク２４上に置かれる（即ち、内箱３は、外ブランク２４上に完全に静止する状態とは対称的に、恐らくは若干重なり合った外ブランク２４に並んで位置決めされる）。最後に、各内箱３は、外ブランク２４に対して移動（並進移動）されて外ブランク２４上に完全に載った状態となり（即ち、内箱３が外箱４の内側に挿入されるような閉鎖位置に対応した位置へと移動され）、調整タブ３４を折り畳む（図１４の位置から、２つの内箱３は、一方が他方に対して外ブランク２４の内側へと押し込まれる）。
【００５０】
一旦、外ブランク２４の内側へ（即ち、閉鎖位置に対応した位置に）２つの内箱３が押し込まれたならば、内箱３の周りで外ブランク２４が折り畳まれてタバコパケット１が完成する。
【００５１】
図１３に示すように、パネル１０’は（パネル１２’、１１’と共に）、２つの内箱３を外ブランク２４の上に置く前に、パネル１２”に対して対応する横方向折り線２６の周りで９０°折り畳まれ、パネル１２”に対してパネル１０’を（パネル１２’、１１’と共に）９０°折り畳む前に、２つの調整タブ３４の上端３５は、好ましくは外ブランク２４のパネル１０’の補強タブ２７に接着される。
【００５２】
接着剤４０及び／又は接着剤４１は、使用直前に（即ち、調整タブ３４の端部３５や３６がパネル１０’の補強タブ２７又は蓋２９の上壁３１に当てられる直前に）“新鮮”な状態で塗布されるようにしても良いし、あるいは（相当以前から）事前に塗布して使用前に完全に乾かし、必要に応じて（即ち、調整タブ３４の端部３５又は３６をパネル１０’の補強タブ２７や蓋２９の上壁３１に当てた後に）加熱することにで活性化するようにしても良い。
【００５３】
上記の方法には数多くの利点がある。
【００５４】
特に、その方法は迅速かつ正確なタバコパケット１の製造を提供する。
【００５５】
更に、既存の包装機械を用いても数少ない軽微な変更のみで安価かつ容易に実行可能である。
【図１】
2015515952.tif 000003
【図２】
2015515952.tif 000004
【図３】
2015515952.tif 000005
【図４】
2015515952.tif 000006
【図５】
2015515952.tif 000007
【図６】
2015515952.tif 000008
【図７】
2015515952.tif 000009
【図８】
2015515952.tif 000010
【図９】
2015515952.tif 000011
【図１０】
2015515952.tif 000012
【図１１】
2015515952.tif 000013
【図１２】
2015515952.tif 000014
【図１３】
2015515952.tif 000015
【図１４】
2015515952.tif 000016
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
包装されたタバコの一群を含んだ少なくとも１つの内パッケージ（２）、
前記内パッケージ（２）を収容する少なくとも１つの内箱（３）であって、開口上端（５）と、蓋ヒンジ（３０）によって前記内箱（３）にヒンジ結合されて内箱（３）に対し前記開口上端（５）を開閉する開放位置と閉鎖位置との間で回転する蓋（２９）と、を有する少なくとも１つの内箱（３）、
前記内箱（３）を収容すると共に少なくとも１つの開口側方端（１３）を有する外箱（４）、
前記内箱（３）と前記外箱（４）とを接続して、内箱（３）を、内箱（３）が外箱（４）の内側に挿入された閉鎖位置と、内箱（３）が外箱（４）から少なくとも部分的に引き出された開放位置との間で回転させる接続ヒンジ（１４）、及び
前記内箱（３）の、前記外箱（４）に対する前記接続ヒンジ（１４）周りの回転によって、前記蓋（２９）が前記蓋ヒンジ（３０）周りに対応して回転するように蓋（２９）を外箱（４）に接続する調整タブ（３４）、を有するスイングオープン型硬質タバコパケット（１）であって、
前記調整タブ（３４）は、前記外箱（４）の上壁（１０）の内面に恒久的に一体化された上端（３５）と、前記上端（３５）と反対側にあって前記蓋（２９）の上壁（３１）に恒久的に一体化された下端（３６）とを有し、
前記内箱（３）が前記外箱（４）の内側に挿入された閉鎖位置にある時は前記調整タブ（３４）は折り畳まれて前記外箱（４）の完全に内側にあり、前記内箱（３）が前記外箱（４）から部分的に引き出された開放位置にある時は前記調整タブ（３４）は広げられることを特徴とするタバコパケット（１）。
【請求項２】
前記調整タブ（３４）の前記上端（３５）は、第１折り線（３７）に沿って前記外箱（４）の上壁（１０）に接続されると共に、調整タブ（３４）の前記下端（３６）は前記蓋（２９）の上壁（３１）に接着されている請求項１に記載のタバコパケット（１）。
【請求項３】
前記外箱（４）の前記上壁（１０）は第１パネル（１０’）と、前記第１パネル（１０’）の内側に接着された補強タブ（２７）とを有し、更に
前記調整タブ（３４）の前記上端（３５）は、前記第１折り線（３７）に沿って外箱（４）の上壁（１０）の前記補強タブ（２７）に接続される請求項２に記載のタバコパケット（１）。
【請求項４】
前記調整タブ（３４）は前記上端（３５）と前記下端（３６）との間に所定の距離を以て隔置された第２折り線（３８）と第３折り線（３９）を有して、前記内箱（３）が前記外箱（４）の内側に挿入された閉鎖位置にある時、調整タブ（３４）が蓋（２９）の上壁（３１）と蓋（２９）の後壁（３２）の周りに“Ｌ”字状に折り畳んだ状態にさせる請求項２又は３に記載のタバコパケット（１）。
【請求項５】
前記調整タブ（３４）の前記上端（３５）は前記外箱（４）の上壁（１０）の前記内面に接着され、調整タブ（３４）の前記下端（３６）は前記蓋（２９）の上壁（３１）に接着される請求項１に記載のタバコパケット（１）。
【請求項６】
前記調整タブ（３４）は当初、前記外箱（４）の前記上壁（１０）からは分離され、外箱（４）の上壁（１０）の前記内面に単純接着される請求項５に記載のタバコパケット（１）。
【請求項７】
前記調整タブ（３４）は、前記内箱（３）と前記外箱（４）とは異なる材料から作られている請求項６に記載のタバコパケット（１）。
【請求項８】
前記内箱（３）が前記外箱（４）の内側に挿入された閉鎖位置にある時、前記調整タブ（３４）は“Ｚ”状に折り畳んだ状態にあって、その全体が前記蓋（２９）の上壁（３１）と外箱（４）の上壁（１０）の間に位置する請求項５、６又は７に記載のタバコパケット（１）。
【請求項９】
前記外箱（４）は２つの開口側方端（１３）を有し、
２つの内箱（３）は夫々が各開口側方端（１３）において外箱（４）内に収容され、夫々接続ヒンジ（１４）によって外箱（４）にヒンジ結合されて閉鎖位置と開放位置との間で回転し、更に夫々ヒンジ蓋（２９）を有し、更に
２つの調整タブ（３４）は夫々、外箱（４）の上壁（１０）の前記内面に恒久的に一体化された上端（３５）と、前記上端（３５）の反対側にあって対応する蓋（２９）の上壁（３１）に恒久的に一体化された下端（３６）とを有する請求項１〜８のいずれか一項に記載のタバコパケット（１）。
【請求項１０】
２つの前記調整タブ（３４）は上端（３５）で結合されている請求項９に記載のタバコパケット（１）。
【請求項１１】
前記接続ヒンジ（１４）は、前記外箱（４）の前記開口側方端（１３）に位置する、前記内箱（３）の下壁（６）の端縁と外箱（４）の下壁（１１）の端縁、双方の端縁の近傍に位置する請求項１〜１０のいずれか一項に記載のタバコパケット（１）。
【請求項１２】
前記外箱（４）からの前記内箱（３）の引き出しを制限するストッパであって、前記調整タブ（３４）とは全く異なり分離したストッパを有する請求項１〜１１のいずれか一項に記載のタバコパケット（１）。
【請求項１３】
包装されたタバコの一群を含んだ少なくとも１つの内パッケージ（２）、
前記内パッケージ（２）を収容する少なくとも１つの内箱（３）であって、開口上端（５）と、蓋ヒンジ（３０）によって前記内箱（３）にヒンジ結合されて内箱（３）に対し前記開口上端（５）を開閉する開放位置と閉鎖位置との間で回転する蓋（２９）と、を有する少なくとも１つの内箱（３）、
前記内箱（３）を収容すると共に少なくとも１つの開口側方端（１３）を有する外箱（４）、
前記内箱（３）と前記外箱（４）とを接続して、内箱（３）を、内箱（３）が外箱（４）の内側に挿入された閉鎖位置と、内箱（３）が外箱（４）から少なくとも部分的に引き出された開放位置との間で回転させる接続ヒンジ（１４）、及び
前記内箱（３）の、前記外箱（４）に対する前記接続ヒンジ（１４）周りの回転によって、前記蓋（２９）が前記蓋ヒンジ（３０）周りに対応して回転するように蓋（２９）を外箱（４）に接続する調整タブ（３４）、を有する硬質スイングオープン型タバコパケット（１）を製造する方法であって、
内パッケージ（２）を形成する段階と、
内ブランク（１７）上に前記内パッケージ（２）を置く段階と、
前記内ブランク（１７）を前記内パッケージ（２）の周りで折り畳んで内箱（３）を形成する段階と、
前記内箱（３）を外ブランク（２４）上に置く段階と、
前記外ブランク（２４）を前記内箱（３）の周りで折り畳んで外箱（４）を形成する、段階とを有する、硬質スイングオープン型タバコパケット（１）の製造方法であって、
前記内箱（３）を前記外ブランク（２４）上に置く前に、前記調整タブ（３４）の上端（３５）を外箱（４）の上壁（１０）を形成する外ブランク（２４）の第１パネル（１０’）の内面に接着する段階と、
前記内箱（３）を前記外ブランク（２４）上に置く前に、前記調整タブ（３４）の下端（３６）を前記蓋（１９）の上壁（３１）に接着する段階であって、前記内箱（３）が前記外箱（４）の内側に挿入された閉鎖位置にある時は前記調整タブ（３４）は折り畳まれて前記外箱（４）の完全に内側にあり、前記内箱（３）が前記外箱（４）から部分的に引き出された開放位置にある時は前記調整タブ（３４）は広げられる、段階とを有することを特徴とする方法。
【請求項１４】
更に、
調整タブ（３４）を広げた状態で調整タブ（３４）の前記上端（３５）を前記外ブランク（２４）の前記第１パネル（１０’）の前記内面に接着する段階と、
内箱（３）を、その少なくとも一部分が外ブランク（２４）の外側になるような位置で外ブランク（２４）の上に置き、前記蓋（２９）の前記上壁（３１）を、広げた調整タブ（３４）の下端（３６）に接着する段階と、
外ブランク（２４）に対して内箱（３）を、内箱（３）が外箱（４）の内側に挿入される閉鎖位置に対応する位置へと移動させて調整タブ（３４）を折り畳む段階とを有する請求項１３に記載の方法。
【請求項１５】
前記内箱（３）を外ブランク（２４）上に置く前に、前記外箱（４）の主側壁（１２）を形成する第２パネル（１２”）に対して前記第１パネル（１０’）を９０°折り曲げる追加の段階を有する請求項１４に記載の方法。
【請求項１６】
前記第２パネル（１２”）に対し前記第１パネル（１０’）を９０°折り曲げる前に、前記調整タブ（３４）の上端（３５）を前記第１パネル（１０’）を接着する追加の段階を有する請求項１５に記載の方法。
【国際調査報告】
2015515952.tif 000017
2015515952.tif 000018